(57)【要約】  本発明は、ネジ接続によって少なくとも第一部品（Ａ）と第二部品（２）とを接続可能な、制振機能を有する締結具（１）に関する。締結具（１）は、弾性変形可能な外側スリーブ（１０）、その内部に配置された支持スリーブ（３０）、及び外側スリーブ内に配置され、入れ子部（５８）を有するネジスリーブ（５０）を備える。部品（Ａ）と部品（Ｂ）とを接続する際、外側スリーブ（１０）が折り畳まれ、それにより支持スリーブ（３０）及びネジスリーブ（５０）が相対的に移動する。【選択図】図３
2019526752.tif 000002
【特許請求の範囲】
【請求項１】
少なくとも第一部品と第二部品とをネジ接続を介して接続可能な、制振機能を有する締結具（１）であって、該締結具は、
ａ．第一軸方向端部分（１２）にねじ込み開口を有し、ネジのための締結区域を第二軸方向端部分（１４）に有する弾性変形可能な外側スリーブ（１０）を備え、該外側スリーブ（１０）は、外側スリーブ（１０）の周囲輪郭（１８）に適合した部品開口（ＡＯ）内で回転に対して積極的にロックすることができる非回転対称周囲輪郭（１８）を、少なくとも前記第一軸方向端部分（１２）に有し、
ｂ．前記締結具はさらに、非回転対称支持スリーブ（３０）を備え、
ｂ１．弾性変形可能な外側スリーブ（１０）の周囲輪郭（１８）が、第一軸方向端部分の少なくとも所定領域において、形状維持態様で支承されるように、前記支持スリーブは、外側スリーブ（１０）内の第一軸方向端部分において、外側スリーブに対する回転に対して積極的にロックする状態で配置され、
ｂ２．前記支持スリーブは、外側スリーブ（１０）の第一軸方向端部分（１２）と第二軸方向端部分（１４）との相対的回転に対して、第二軸方向端部分（１４）に堅固に配置された締結区域に積極的にロックする状態で接続されることを特徴とする、締結具（１）。
【請求項２】
前記締結区域が、少なくとも支持スリーブ（３０）の半径方向内部の一部分に対して回転不能に、好ましくは完全に回転不能に、配置されている、請求項１に記載の締結具（１）。
【請求項３】
前記外側スリーブ（１０）が、第一軸方向端部分（１２）に半径方向カラー（２０）を有し、第一軸方向端部分とは反対側の第二軸方向端部分（１４）に固定配置されたネジスリーブ（５０）を有し、該ネジスリーブ（５０）は、内部にネジ（８０）のネジ山を受け入れることができるねじ込み部を備える、請求項１又は２に記載の締結具（１）。
【請求項４】
前記ネジスリーブ（５０）が、外側スリーブ（１０）と同軸的に延在するネジ通路（５２）を有し、該ネジ通路は、ねじ込み方向（Ｒ）に円筒状若しくは円錐状にテーパーして形成される、請求項３に記載の締結具（１）。
【請求項５】
前記ネジスリーブ（５０）が、支持スリーブ（３０）と反対側の締結部（５４）と、支持スリーブ（３０）に面する入れ子部（５８）とを含む、軸方向に少なくとも二段の半径方向外側輪郭を有し、該入れ子部（５８）は、締結部及び支持スリーブ（３０）の内側軸方向通路よりも小さい半径方向寸法である、請求項３又は４に記載の締結具（１）。
【請求項６】
前記ネジスリーブ（５０）の締結部（５４）と入れ子部（５８）とは互いに接続され、好ましくは軸方向当接面（５６）を介して段付きで接続されている、請求項５に記載の締結具（１）。
【請求項７】
前記ネジスリーブ（５０）の入れ子部（５８）の外側輪郭の形状が、支持スリーブ（３０）の半径方向内側壁の内側輪郭に合わせられ、それにより支持スリーブ（３０）はネジスリーブ（５０）が回転しないように阻止し、外側スリーブ（１０）は長手軸を中心として捻れずに、好ましくは回転角度＜１８０°にわたって捻れずに、若しくは略完全に捻れずに、軸方向に圧縮可能である、請求項５又は６に記載の締結具（１）。
【請求項８】
前記外側スリーブ（１０）が、少なくとも第一端部分において、非円形若しくは楕円形若しくは六角形若しくは八角形の周囲輪郭（１８）を有する、先行する請求項のいずれか１項に記載の締結具（１）。
【請求項９】
前記外側スリーブ（１０）の内側壁輪郭が前記周囲輪郭（１８）に類似して形成される、請求項８に記載の締結具（１）。
【請求項１０】
前記支持スリーブ（３０）が半径方向外側壁において、外側スリーブ（１０）の内側壁輪郭と一致するように形成されている、請求項９に記載の締結具（１）。
【請求項１１】
前記支持スリーブ（３０）が、締結部において、第二軸方向端部分（１４）の方向に軸方向当接面（５６）を提供し、該軸方向当接面は、ネジ接続による外側スリーブ（１０）の軸方向短縮、及びこれに伴う外側スリーブ（１０）の長手軸（Ｌ）に対して横断方向への折畳み部（１６）を制限する、先行する請求項のいずれか１項に記載の締結具（１）。
【請求項１２】
請求項１〜１１のいずれか１項に記載の締結具（１）による少なくとも第一部品（Ａ）と第二部品（Ｂ）との接続体であって、ネジ接続が部品（Ａ、Ｂ）及び締結具（１）をまとめる、接続体。
【請求項１３】
前記少なくとも一つの部品（Ａ）が、外側スリーブ（１０）の非回転対称周囲輪郭に適合する非回転対称開口を有し、該非回転対称開口内に外側スリーブ（１０）が回転に対して積極的にロックする状態で配置される、請求項１２に記載の接続体。
【請求項１４】
前記少なくとも一つの第一部品（Ａ）が、弾性変形可能な外側スリーブ（１０）の半径方向カラー（２０）と折畳み部（１６）との間に保持され、前記少なくとも一つの第二部品（Ｂ）が、半径方向カラー（２０）と締結具（１）内へねじ込まれたネジ（８０）の頭との間に保持される、請求項１２又は１３に記載の接続体。
【請求項１５】
請求項１〜１１のいずれか１項に記載の締結具（１）によって、非回転対称開口を有する少なくとも一つの第一部品（Ａ）と、少なくとも一つの第二部品（Ｂ）とを接続する接続方法であって、
ｉ．前記締結具（１）が回転に対して積極的にロックする態様で前記開口内に保持されるように、前記締結具（１）を前記少なくとも一つの第一部品（Ａ）の前記開口に挿入する工程（Ｓ１）と、
ii．締結開口を有する前記少なくとも一つの第二部品（Ｂ）を締結具（１）に隣接して配置する工程（Ｓ２）と、
iii．第一部品（Ａ）が外側スリーブ（１０）の半径方向カラー（２０）と折畳み部（１６）との間に締結され、第二部品（Ｂ）がネジ（８０）の頭と外側スリーブ（１０）の半径方向カラー（２０）との間に締結されるまで、ネジ（８０）を、締結開口及び部品（Ａ、Ｂ）の開口を通して締結具（１）内へねじ込む工程（Ｓ３）とを含む、接続方法。
【請求項１６】
外側スリーブ（１０）の第二軸方向端部分（１４）の締結区域にネジ（８０）をねじ込む工程（Ｓ３）中に、前記締結区域が、支持スリーブ（３０）内で回転に対して積極的にロックする態様で保持され、支持スリーブ（３０）内で支持スリーブ（３０）の軸方向に変位する、請求項１５に記載の接続方法。
【請求項１７】
ねじ込む工程（Ｓ３）中に、支持スリーブ（３０）がネジスリーブ（５０）の軸方向当接面に支承されるまで、外側スリーブ（１０）が短縮される、請求項１５又は１６に記載の接続方法。
【請求項１８】
ネジ切削ネジ若しくはタッピングネジ（８０）を外側スリーブの締結区域にねじ込む、請求項１５、１６、又は１７のいずれかに記載の接続方法。
【請求項１９】
締結具（１）、特に請求項１〜１１のいずれか１項に記載の締結具（１）の製造方法であって、
ｉ．射出成形法若しくは積層造形法によって、弾性変形可能な材料から、非回転対称周囲輪郭（１８）を有する外側スリーブ（１０）を製造する工程（Ｉ）と、
ii．射出成形若しくは積層造形法によってネジスリーブ（５０）を製造する工程（II）と、該ネジスリーブ（５０）を外側スリーブ（１０）に締結する工程（III）と、
iii．射出成形法若しくは積層造形法によって、外側スリーブ（１０）よりも変形能が低い材料からなり、外側スリーブ（１０）に形状を適合させた回転対称支持スリーブ（３０）を製造する工程（VI）と、
iv．外側スリーブ（１０）内に支持スリーブ（３０）を配置する工程（Ｖ）とを含む、製造方法。
【請求項２０】
少なくとも前記外側スリーブ及び前記ネジスリーブを、二成分（２Ｋ）射出成形法によって製造する、請求項１９に記載の製造方法。
【請求項２１】
支持スリーブとネジスリーブとを取り外し可能な複合物として製造し、該複合物は、支持スリーブとネジスリーブとの間に摩擦係合によって、若しくは破壊可能な接続ウェブによって、実現される、請求項１９又は２０に記載の製造方法。
【発明の詳細な説明】
【技術分野】
【０００１】
本発明は、少なくとも第一部品と第二部品とをネジ接続を介して接続可能な、制振機能を有する締結具に関する。本発明はさらに、上記締結具による第一部品と第二部品との接続体、並びに上記締結具によって部品を互いに接続することができる接続方法に関する。また本発明は、制振機能を有する上記締結具の製造方法に関する。
【背景技術】
【０００２】
従来から、制振機能を有する様々な締結具が知られている。例えば、DE 10 2007 041 949 B3には、接続対象の部品の一方に直接ねじ込む締結具が記載されている。この文献では特に、第一部品と第二部品とが互いに接続され、それにより第二部品のネジ切り開口内へネジがねじ込まれる。このように、第一部品はネジ頭と第一部品との間に締付固定される。振動を制動するために、ネジ軸は、外側弾性制振スリーブ及び内側支持スリーブによって、第一部品の通路若しくは貫通孔内に保持される。内側支持スリーブは、外側制振スリーブが軸方向に過度に圧縮されるのを防止する。よって、外側制振スリーブの制振特性が維持されると共に、ネジと第二部品との間が確実に堅固に接続される。しかしながら、ネジ接続に必要な厚さ若しくは材料安定性が第二部品にない場合、この構造の締結具は適用できない。さらに第一部品は、制振スリーブの半径方向カラーと第二部品との間に、どちらかと言えば緩く摩擦係合する嵌合により保持されている。この配置により、第二部品内の振動を制振することができるが、一般的には、振動可能な部品を、車両フレーム等の固定部品に締結することが目的とされる。このことがこの締結具の適用範囲を制限することとなる。
【０００３】
DE 10 2006 023 320 A1には、プラスチック製のネジ付きブラインドリベットによって少なくとも二つの部品を接続することが記載されている。このネジ付きブラインドリベットは、四角若しくは他の多角形の管状であり、第一及び第二部品の適切に形状を合わせた開口内に挿入される。自己切削ネジをねじ込むことにより、ネジ付きブラインドリベットは長手方向に対して横断方向に折り畳まれ、それにより被締結部品をネジ頭とネジ付きブラインドリベットの折り畳み部分との間に締付固定する。このネジ付きブラインドリベットでは、二つの部品を締結するのに十分な安定性は得られるものの、この接続の状況では信頼性の高い制振は得られない。またこのネジ付きブラインドリベットはプラスチック製であるが、これに起因する制振特性はない。ここで用いられるプラスチックの寸法安定性のみによって、ネジ付きブラインドリベットと、このネジ付きブラインドリベットの外形に合わせた第一及び第二部品の開口との間の積極的ロックが維持される。ここで、ネジ付きブラインドリベットは、ネジ付きブラインドリベットの係合区域内へネジをねじ込むため、いかなる変形、例えば捻れにも抵抗する。この文献に開示されているネジ付きブラインドリベットは、扱いやすい数の部品及び組立努力により迅速な接続を提供するものであるが、制振特性が無いため、この接続は振動による負荷に耐えることができない。振動のタイプ、周波数帯域、及び方向によっては、少なくとも締結された接続を急激に弱めることとなったり、雑音等の振動を不都合に伝達してしまうこととなる。
【０００４】
EP 1 710 454 A1には、ブラインドリベットの形式の別の締結具が記載されている。このブラインドリベットは、スリーブ状シャフトを有する弾性外側本体からなり、この外側本体は担持部品の締結穴内に挿入可能である。金属製ネジ付きブッシュが、弾性外側本体の通路過開口内に配置されている。この金属製ネジ付きブッシュは、弾性外側本体のネジ用ねじ込み開口とは反対側の、弾性外側本体の軸方向端部分に配置される。この金属製ネジ付きブッシュは外側本体に堅固に接続されるので、金属製ネジ付きブッシュのネジ山にネジをねじ込むと、金属製ネジ付きブッシュが軸方向に変位し、よって外側本体の部品とは反対側の軸方向端部分が、接続先の担持部品の方向へと変位する。この変位によって折り畳まれる弾性外側本体は、担持部品を制振する態様で包囲する。さらに金属製ネジ付きブッシュは、その場に支承されるように、他方の部品に対して引っ張られる。外側本体は、その弾性材料の特性により良好な制振特性を有するものの、締結ネジをねじ込む際の捻り負荷に対する安定性に欠ける。そのため、外側本体が担持部品の開口内で捻れることがあり、それにより外側本体の半径方向寸法が小さくなり、よって締結される接続が弱くなる。さらに、ネジ付きブッシュを担持部品の開口内へ引っ張ると、特にネジ付きブッシュが担持部品の開口に対して中央に一直線上に整列していない場合、弾性外側本体も破損する恐れがある。このような破損は通常弾性外側本体内側にあるので、外側からは見えず、ここに開示されるブラインドリベットの寿命が短くなった時に初めて現れる。
【先行技術文献】
【特許文献】
【０００５】
【特許文献１】ドイツ特許第１０２００７０４１９４９号公報
【特許文献２】ドイツ特許第１０２００６０２３３２０号公報
【特許文献３】ヨーロッパ特許出願公開第１７１０４５４号公報
【発明の概要】
【発明が解決しようとする課題】
【０００６】
従来技術の上記欠点に鑑みて、本願発明の課題は、単純な構造にも関わらず、十分な制振及び寿命を提供する、制振機能を有する締結具を提供することにある。
【課題を解決するための手段】
【０００７】
上記課題は、独立請求項１に記載の制振機能を有する締結具、独立請求項１２に記載の少なくとも第一部品と第二部品との上記締結具による接続体、独立請求項１５に記載の非回転対称開口を有する少なくとも一つの第一部品と、少なくとも一つの第二部品とを、上記締結具によって接続する方法、及び独立請求項１８に記載の締結具の製造方法によって解決される。本願発明の有利な設計及び更なる展開は、以下の詳細な説明、添付図面、及び特許請求の範囲から派生する。
【０００８】
少なくとも第一部品と第二部品とをネジ接続を介して接続可能な、制振機能を有する本願発明の締結具は、第一軸方向端部分にねじ込み開口を有し、ネジのためのねじ込み区域を第二軸方向端部分に有する弾性変形可能な外側スリーブを備え、該外側スリーブは、外側スリーブの周囲輪郭に適合した部品開口内で回転に対して積極的にロックすることができる回転対称周囲輪郭を、少なくとも前記第一軸方向端部分に有し、前記締結具はさらに、非回転対称支持スリーブを備え、弾性変形可能な外側スリーブの周囲輪郭が、第一軸方向端部分の少なくとも所定領域において、形状維持する態様で支承されるように、前記支持スリーブは、外側スリーブ内の第一軸方向端部分において、外側スリーブに対する回転に対して積極的にロックする状態で配置され、前記支持スリーブは、外側スリーブの第一軸方向端部分と第二軸方向端部分との相対的回転に対して、第二軸方向端部分に堅固に配置された締結区域に積極的にロックする状態で接続されることを特徴とする。
【０００９】
本願発明は、接続対象部品との積極的ロック、この積極的ロックの半径方向内側安定化及び支承、並びに弾性制振材料の半径方向外側への配置の組み合わせにより、信頼性の高い接続と同時に、効率的な制振を実現する制振締結具を提供するものである。積極的ロックを許容する外側スリーブの外側輪郭によって、制振のための変形可能な外側スリーブの追加的弾性が提供される。これは、外側スリーブの外側輪郭が、互いに接続される部品の少なくとも一方に設けた受入開口の形状に適合されているためである。積極的ロックを支援し、よって非回転対称であるこの外側スリーブの周囲輪郭は、回転に対して安定化された部品内に外側スリーブを確実に保持するが、この構造及び機能は、外側スリーブ内に類似して形成された支持スリーブによって促進される。外側スリーブ及び支持スリーブの軸方向配置及び好ましく一致する若しくは類似する形状デザインにより、外側スリーブが折り畳まれなくても、支持スリーブは外側スリーブの形状維持の役割を果たす。制振のために外側スリーブが弾性材料からなるにも関わらず、締結具は、取付け時に破損したり破壊されたりしないよう、十分な捻れ安定性を提供するものでなければならない。このような破損、破壊は、締結ネジを締結区域にねじ込んだ際に、外側スリーブが過度に本質的に捻れると生じ得るものである。このような捻れは、外側スリーブを破損し及び／又は外側スリーブの材料の弾性を低下させることになる。従って、締結区域と支持スリーブとの間に、回転に対する積極的ロックを提供する。支持スリーブは、外側スリーブの第一軸方向端部分において回転しないように保持されるので、支持スリーブと締結区域との間の積極的ロックは、締結ネジを締結区域にねじ込んだ際に締結区域が一緒に回転することを防止する。このように、摩擦係合によって締結区域へ伝達される締結ネジのねじ締めトルクは、支持スリーブ及び外側スリーブの第一軸方向端部分を介して第二部品に誘発される。これとは別に、若しくはこれと組み合わせて、ねじ締めトルクを、支持スリーブ及び好ましい締結フランジによって第二部品へと伝達することも好ましい。締結具のこの内部構造により、外側スリーブは捻れないよう保護されて、その制振材料特性が維持される。ここで、長手軸を中心とする外側スリーブの捻れを、最大回転角度１８０°、好ましくは最大９０°に制限することが好ましく、さらに好ましくは完全に防止する。よって、締結区域、好ましくは以下により詳細に説明するネジスリーブと支持スリーブ、並びに支持スリーブと外側スリーブの第一軸方向端部分を、互いに回転防止態様で第二部品によって接続する。ここで回転防止とは、接続された二つのエレメント間の相対的回転が最大回転角度までに制限される、或いは完全に防止されることを意味する。
【００１０】
さらに、締結区域が、少なくとも支持スリーブの半径方向内部の一部分に対して回転不能に、好ましくは完全に回転不能に、配置されていることが好ましい。さらに、締結区域の一部分は、支持スリーブに対して支持スリーブの軸方向に変位可能である。
【００１１】
好ましくは、本願発明によれば、締結区域は機能的に二つの部分によって形成される。第一機能部分は締結ネジのネジ山、好ましくは自己切削ネジ若しくはセルフタッピングネジを収容する。第二機能部分は、締結区域が回転防止態様で支持スリーブに接続されるように、構造的にデザインされている。この回転防止接続は同時に、相互接続された支持スリーブと締結区域との相対的軸方向変位を許容する。これは好ましくは、支持スリーブと締結区域とを入れ子式接続することによって行うことができる。ここで、入れ子式エレメントが互いに捻れるのを防止するために、入れ子式エレメントの周囲輪郭は不均一にデザインされる。さらに、締結区域をこの目的のために支持スリーブに設けた開口内にウェブを介して係合させる、もしくはその逆も好ましい。この好ましい係合接続は、回転防止であると同時に、支持スリーブと締結区域との間の軸方向変位を許容する。
【００１２】
本願発明の締結具の好ましい実施態様によれば、外側スリーブは、第一軸方向端部分に半径方向カラーを有し、第一軸方向端部分とは反対側の第二軸方向端部分に固定配置されたネジスリーブを有し、該ネジスリーブは、内部にネジのネジ山を受け入れることができるねじ込み部を備える。
【００１３】
外側スリーブは軸方向に延在しているので、第一軸方向端部分と第二軸方向端部分とに分けることができる。第一軸方向端部分は、締結ネジのためのねじ込み開口に隣接する。第二軸方向端部分には、ねじ込み部、好ましくは雌ネジ区域或いはネジ切削若しくはタッピング区域が好ましく設けられる。
【００１４】
ねじ込み部は好ましくはネジスリーブによって設ける。ネジスリーブは、別の好ましい実施態様によれば、外側スリーブと一体的に形成され、或いは外側スリーブ内に別個の部品として隙間をもって或いは隙間無しで、接着され、圧入され、回転防止態様で保持される。
【００１５】
外側スリーブの第一軸方向端部分と第二軸方向端部分との間に軸方向に折畳み部を設けることも好ましい。ネジを締結部及び第二軸方向端部分にねじ込んで、第一軸方向端部分の方向へ移動させるとすぐに、折畳み部に半径方向外方に突出する折畳みが生じる。締結具を完全に締結した後、この折畳みは少なくとも一つの第一部品に少なくとも支承される。上述した半径方向カラーは、好ましくは互いに対向配置される二つの第一部品と第二部品との間の支承制振中間層として機能する。さらに別の好ましい実施態様によれば、締結具がまだ取付けられていない状態では、この半径方向カラーは、好ましくは支持スリーブを係留状態で保持するのに使用される。この目的のために、支持スリーブは、好ましくは輪郭若しくは形状を合わせた締結フランジの凹所内に配置及び／又は嵌めることができる締結フランジを有する。支持スリーブの外側輪郭は、外側スリーブの内側輪郭と一致し、外側スリーブは第二部品の非対称開口の形状と一致するので、外側スリーブはこの構造的接続によって、締結区域からのトルクに対抗する。これは、締結区域からのトルクが部品内へと逸れるためである。その結果、外側スリーブの第一軸方向端部分及び第二軸方向端部分は、回転防止接続と同様に、相対的に捻れない、若しくは極わずかにしか捻れない。
【００１６】
この外側スリーブの安定化は、支持スリーブの締結フランジを、形状を合わせた半径方向カラーの開口内に配置することによっても好ましく行うことができる。締結具の取付け中、締結フランジを半径方向カラーに回転防止状態で保持する。さらに半径方向カラーは、部品開口に隣接する第二部品との当接面によって、外側スリーブの半径方向カラーと、支持スリーブと、第二部品との間に回転防止摩擦係合接続を生じさせる。この接続は、締結区域及び第二軸方向端部分に対する支持スリーブの回転も制限、好ましくは防止する。
【００１７】
本願発明の締結具は、ネジスリーブに、外側スリーブと同軸的に延在するネジ通路を有し、該ネジ通路は、ねじ込み方向に円筒状若しくは円錐状にテーパーして形成されることがさらに好ましい。このねじ込み通路は、好ましくはねじ込もうとするネジが自主的にネジを切削及び／又はタッピングすることができるように構造的基礎をなす。また、このネジ通路に、締結ネジに一致する雌ネジを設けることも好ましい。締結ネジの所定のねじ締めトルク、さらには接続を完了した後の締結ネジの好ましい緩みトルクを調節することができるように、締結ネジのネジ山は好ましい雌ネジエレメントと一致する。
【００１８】
本願発明の別の好ましい実施態様によれば、ネジスリーブは、支持スリーブと反対側の締結部と、支持スリーブに面する入れ子部とを含む、軸方向に少なくとも二段の半径方向外側輪郭を有し、該入れ子部は、締結部及び支持スリーブの内側軸方向通路よりも小さい半径方向寸法である。ネジスリーブの好ましい入れ子部は、弾性変形可能な外側スリーブの折畳みの間、つまり締結ネジの締付けの間に、外側スリーブ及び支持スリーブに対して入れ子式配置となる。この入れ子式構造により、締結具の内部隙間が複数部品による支承によって閉じられ、よって負荷軽減に最適となるので、軸方向にコンパクトな配置及び更なる半径方向安定性の両方が確実となる。これに関して、好ましくはネジスリーブの締結部と入れ子部とは、軸方向当接面を介して段付きで接続されている。
【００１９】
本願発明の締結具のさらに好ましい実施態様によれば、前記ネジスリーブの入れ子部の外側輪郭の形状が、支持スリーブの半径方向内側壁の内側輪郭に合わせられ、それにより支持スリーブはネジスリーブが回転しないように阻止し、外側スリーブは長手軸を中心として捻れずに、好ましくは回転角度＜１８０°にわたって捻れずに、若しくは略完全に捻れずに、軸方向に圧縮可能である。さらに好ましくは、支持スリーブは外側スリーブよりも短く形成される。
【００２０】
発明的に好ましい締結具と第一部品に設けた開口との間に積極的ロックを行うために、外側スリーブは、好ましくは非円形若しくは楕円形若しくは多角形、好ましくは六角形若しくは八角形の周囲輪郭を有する。弾性変形可能な外側スリーブの、積極的ロックをなすこの周囲輪郭をサポートするために、上述の通り、好ましくは外側スリーブの内側壁輪郭を周囲輪郭に類似して形成する。これにより、内部に配置された非回転対称支持スリーブによって、外側スリーブを好ましくは半径方向に確実に支承することができる。これは、本願発明の別の好ましい実施態様によれば、支持スリーブが、外側スリーブの内側壁輪郭と一致するように形成されるためである。好ましい実施態様によれば、支持スリーブが、弾性変形可能な外側スリーブの内側壁と当接するので、支持スリーブは、外側スリーブよりも低いその変形能のために、周囲輪郭に合わせた第一部品の開口内における外側スリーブの寸法安定性に寄与する。これにより、外側スリーブの弾性変形可能な材料による制振、並びに形状を合わせた第一部品の開口内における外側スリーブの積極的ロックによる保持が同時に確実となる。これに関して、支持スリーブは、半径方向外側壁において、外側スリーブの内側壁輪郭に一致するように形成されることも好ましい。
【００２１】
本願発明の締結具の更に別の実施態様によれば、支持スリーブが、締結部において、第二軸方向端部分の方向に軸方向当接面を提供し、該軸方向当接面は、ネジ接続による外側スリーブの軸方向短縮、及びこれに伴う外側スリーブの長手軸に対して横断方向への折畳みを制限する。
【００２２】
支持スリーブは、弾性変形可能な外側スリーブの周囲輪郭に対して、半径方向外方に形状維持するように作用すると同時に、軸方向安定化及び締結具の支承機能をも提供する。これは、変形可能な外側スリーブが、締結状態では、支持スリーブの好ましい軸方向当接面まで最大限圧縮され、よって折り畳まれるからである。支持スリーブの軸方向支承により、折畳まれた外側スリーブの追加の過度な表面圧力、外側スリーブの破損の可能性、若しくは塑性変形を防ぐことができる。さらに、締結具を取り付ける際にトルクが増加することにより、部品が互いに堅固に接続されたことを使用者に知らせることができる。このことは、取付け工程を自動的に終了するのに用いることができる。
【００２３】
本願発明はまた、様々な好ましい実施態様による上述の締結具による、少なくとも第一部品と第二部品との接続体を開示し、部品と締結具とがネジ接続によってまとめられる。これに関して、前記少なくとも一つの部品が、外側スリーブの非回転対称周囲輪郭に適合する非回転対称開口を有し、それにより該少なくとも一つの部品と弾性変形可能な外側スリーブとの間を、回転に対して積極的にロックすることができる。本願発明の接続体のさらに好ましい実施態様によれば、前記少なくとも一つの第一部品が、弾性変形可能な外側スリーブの半径方向カラーと折畳み部との間に保持され、前記少なくとも一つの第二部品が、半径方向カラーと締結具内へねじ込まれたネジの頭との間に保持される。
【００２４】
本願発明はさらに、上述の締結具によって、非回転対称開口を有する少なくとも一つの第一部品と、少なくとも一つの第二部品とを接続する接続方法を含み、この方法は、前記締結具が回転に対して積極的にロックする態様で前記開口内に保持されるように、前記締結具を前記少なくとも一つの第一部品の前記開口に挿入する工程と、締結開口を有する前記少なくとも一つの第二部品を締結具に隣接して配置する工程と、第一部品が外側スリーブの半径方向カラーと折畳み部との間に締結され、第二部品がネジの頭と外側スリーブの半径方向カラーとの間に締結されるまで、ネジを締結開口及び部品の開口を通して締結具内へねじ込む工程とを含む。
【００２５】
発明的に好ましい接続方法の範囲内において、締結ネジをねじ込むと、支持スリーブが、外側スリーブのねじ込み部の軸方向当接面に支承されるまで、外側スリーブが短縮される。この軸方向の支承により、ねじ込まれた締結ネジに平行な締結具の安定化が容易になる。これに関して、ネジ切削ネジ若しくはタッピングネジを外側スリーブの締結区域にねじ込むことも好ましい。これに関して提供される直接的ねじ込みのためのネジ山を持たないねじ込み部は、製造労力を低減することができ、特に雌ネジ部を設けるための製造労力を低減することができる。しかしながら、ネジ切削若しくはタッピングネジを使用することにより、二つの部品間の接続を支援する、締結ネジと外側スリーブのねじ込み部との間の締付固定効果を確実に得ることができる。
【００２６】
好ましい接続方法はさらに、締結ネジを、外側スリーブの第二軸方向端部分の締結区域にねじ込むと、締結区域が支持スリーブ内で回転に対して積極的にロックして保持され、支持スリーブ内で支持スリーブの軸方向に変位することを特徴とする。ここで、外側スリーブは、好ましくは支持スリーブがネジスリーブの軸方向当接面に支承されるまで、短縮する。
【００２７】
本願発明はまた、上述の締結具の製造方法を開示する。この製造方法は、射出成形法若しくは積層造形法によって、弾性変形可能な材料から、非回転対称周囲輪郭を有する外側スリーブを製造する工程と、ネジスリーブを製造し、このネジスリーブを外側スリーブに締結する工程と、外側スリーブよりも変形能が低い材料からなり、外側スリーブに形を合わせた非回転対称支持スリーブを、射出成形法若しくは積層造形法によって射出成形する工程と、外側スリーブ内に支持スリーブを配置する工程とを含む。
【００２８】
ある実施態様によれば、締結具は射出成形によって製造される。ある変更例によれば、外側スリーブ、支持スリーブ、及びネジスリーブは、別々に射出成形し、その後組み立てる。工程の別の方向性では、ネジスリーブを、外側スリーブの第二軸方向端部分に、所定の隙間をもって積極的にロックする態様で、圧入、接着、溶着、若しくは締結する。
【００２９】
別の好ましい製造過程によれば、上述の射出成形法の代わりに積層造形法を用いる。積層造形法では、材料を一層ずつ加えて部品を製造する。この層状構造方法を利用すれば幾何学的に複雑な構造体を製造することができるが、これは慣用の製造方法では非常に労力を要するものである。押出法では、プラスチックの糸若しくはプラスチックのひもを熱したノズルを通して溶融し、幾何学的に定義されたように配置する。材料の各糸を、位置的正確性をもって、一層ずつピンポイントに配置することにより、所望の部品を創生することができる。粉体ベースの方法も好ましい。ここで、粉状の原料を作業表面に薄層状に塗布し、次いでピンポイントに溶融する。このエネルギーはレーザーによってピンポイントで供給され、それにより材料が溶融し、凝固する間に隣接する層／構造と連結する。一つの層が完成したら、新たなパウダーの次の薄層を塗布し、手順をもう一度行う。レーザー法は、金属（レーザービーム溶融）と同様にプラスチック（プラスチックレーザー焼結）にも用いることができる。少なくとも外側スリーブ及びネジスリーブを二成分（２Ｋ）射出成形法によって製造することも好ましい。二成分射出成形（２Ｋ射出成形）という用語は、二つの異なるタイプのプラスチック若しくはプラスチック修飾物を一つの過程で射出成形によって互いに接続する方法を意味するものである。異なるプラスチック修飾物とは、同じタイプのプラスチックであるが、充填物例えば染料が異なる（多色射出成形）、既知のプラスチック強化材料若しくは繊維材料例えばガラス繊維が異なる、強化材料の割合が異なる、可塑剤が異なる、若しくは可塑剤の割合が異なることを意味する。このタイプの基礎成形は、幾つかの機能的要求（例えば複数色、硬質／軟質等）を有する複雑な部品を、一つの作業工程で、大規模な修正無く製造することができるため、価格適正化及び合理化に関する高いポテンシャルがある。この方法では、二つの異なるプラスチックを、時間差で一つの射出成形型に射出して、二つの成分からなる部品を製造する。また、同じプラスチックを時間差で２以上のショットで射出成形型に射出することも可能である。各ショットによって生成される成分は、射出成形型内で互いに流れ込むことなく隣接して配置される。また、上述の成分を形成するために、射出成形型の互いに隔離されているキャビティに、同じ若しくは異なるプラスチックを同時に若しくは時間差で充填することも好ましい。好ましくは幾つかの部品、ここでは好ましくは支持スリーブと外側スリーブ、若しくは支持スリーブとネジスリーブを、複数の切り取りウェブによって互いに接続する。切り取りウェブとは、プラスチック部品間に設けたウェブ状のブリッジであって、小径であるため機械的労力無しに分断することができるものを意味する。これに基づいて、好ましくは、支持スリーブとネジスリーブとをユニットとして、外側スリーブに対して設置することができる。締結具を部品開口に挿入して初めて、若しくはネジを締結具にねじ込んで初めて、支持スリーブとネジスリーブとの間のウェブが破壊若しくは切断され、支持スリーブとネジスリーブが互いに分断され、締結具において別個の部品として存在することになる。別の好ましい製造の選択肢によれば、支持スリーブとネジスリーブとは取り外し可能な複合物として製造され、この複合物は、支持スリーブとネジスリーブとの間の摩擦係合によって、若しくは破壊可能な接続ウェブによって実現される。
【図面の簡単な説明】
【００３０】
【図１】図１は、締結具の好ましい実施態様を第一及び第二部品と組み合わせて示す分解図の側面斜視図である。
【図２】図２は、本願発明の締結具の好ましい実施態様を第一及び第二部品と組み合わせて、締結ネジを緩めた状態で、締結具の中心軸に沿った軸方向断面で示す図である。
【図３】図３は、図２の好ましい締結具を締結ネジを緩めた状態で示す。
【図４】図４は、好ましいネジスリーブを有する弾性変形可能な外側スリーブの軸方向縦断面図の好ましい実施態様である。
【図５】図５は、弾性変形可能な外側スリーブの好ましい実施態様の第一軸方向端部分へ向かう頂面斜視図である。
【図６】図６は、ネジスリーブを有する弾性変形可能な外側スリーブの好ましい実施態様のねじ込み方向の図である。
【図７】図７は、非回転対称的な支持スリーブの好ましい実施態様の斜視図である。
【図８】図８は、図７の非回転対称的な支持スリーブの好ましい実施態様の別の斜視図である。
【図９】図９は、図１の締結具を部品及び締結ネジ抜きで示す側面図である。
【図１０】図１０は、図９のＡ−Ａ線に沿った締結具の横断面図である。
【図１１】図１１は、接続方法の好ましい実施態様のフローチャートである。
【図１２】図１２は、本発明の好ましい締結具の製造方法の好ましい実施態様のフローチャートである。
【発明を実施するための形態】
【００３１】
図１〜図１２を参照して、締結具１の好ましい実施態様を以下に説明する。
【００３２】
締結具１は、少なくとも一つの部品Ａと少なくとも一つの部品Ｂとを接続する。部品Ａの開口ＡＯ内に配置される、締結具１の弾性変形可能な外側スリーブ１０の材料特性により、二つの部品ＡとＢとは、振動的に分離、つまりノイズデカップリングされる。締結具１の締結領域において広周波数帯域或いは選択的周波数帯域の振動を制振することができるように、外側スリーブ１０の材料の弾性は、特定して選択可能、若しくは締結具１の製造中に特定して選択可能である。よって締結具１の全体構造により、硬性の材料と同様に軟弾性材料も使用することができる。本願発明によれば、外側スリーブ１０は、締結具１の外側スリーブ１０の内部に配置される部品、例えば支持スリーブ３０やネジスリーブ５０よりも、好ましくは弾性でより軟性の材料からなる。
【００３３】
好ましくは、射出成形法で製造した外側スリーブ１０はプラスチックからなる（製造方法の工程１）。このプラスチックは好ましくはポリエステル系エラストマー、特にポリブチレンテレフタレート（ＰＢＴ）やポリエチレンテレフタレート（ＰＥＴ）である。このような材料は弾性変形可能であるが、ショア硬さ（ショアＤ範囲で）が比較的高く、加熱下（１５０℃以上）での寸法安定性に優れている。さらに化学的耐性、特にディーゼルオイル耐性が良好である。ゴム弾性体等の架橋エラストマーも可能である。また、外側スリーブ１０は、好ましくは熱可塑性エラストマー（ＴＰＥ）、熱可塑性ポリオレフィン加硫物（ＴＰＶ）、これらの化合物、若しくはシリコンとの化合物から、射出成形によって製造する。
【００３４】
外側スリーブ１０は、好ましくは第一軸方向端部分１２及び第二軸方向端部分１４からなる軸方向延在部を有する。第一端部分１２と第二端部分１４との間には、図２と図３との比較からわかるように、折畳み部１６が配置される。
【００３５】
軸方向延在部１２、１４、１６は、図１０の断面図からわかるように、少なくとも軸方向の一部分に非回転対称周囲輪郭１８を有する。図１０は、図９の締結具１のＡ−Ａ線に沿った断面を示す。好ましくは、この一部分は第一軸方向端部分１２に配置される。それにより、この一部分が部品Ａの開口ＡＯ内に延在して、回転に対する積極的ロックを形成する。非回転対称周囲輪郭１８が軸方向延在部１２、１４、１６全体若しくは選択的部分に延在することも好ましい。
【００３６】
非回転対称周囲輪郭１８は、好ましい実施態様によって異なる態様で形成される。その目的は、開口ＡＯと積極的ロック接続を行うことであり、それにより開口ＡＯ内での締結具１の回転を防止することができる。この目的を達成するために、第一部品Ａの開口ＡＯは、周囲輪郭１８と類似して形成される。周囲輪郭１８及び開口ＡＯの好ましい非回転対称形デザインは、楕円形、長円形、非円形、レモンの長手方向断面のようなレモン形状、或いは三角形、四角形、六角形、八角形等の多角形、若しくは略多角形である。
【００３７】
第一軸方向端部分１２において、外側スリーブ１０は好ましくは半径方向カラー２０を含む。この半径方向カラー２０は、外側スリーブ１０を第一軸方向端部分１２で閉じ、締結具１を第一部品Ａの開口ＡＯ内に挿入すると、半径方向カラー２０は第一部品Ａに当接する。この目的のために、半径方向カラー２０は半径方向に開口ＡＯを超えて延在する。
【００３８】
さらに、半径方向カラー２０は軸方向に所定の厚さがあることが好ましい。この厚みにより、締結状態において部品Ａと部品Ｂとを互いに離隔させて、相互支承の状態で制振する。
【００３９】
半径方向カラー２０は、締結具１と外側スリーブ１０の長手軸Ｌと同心的に配置される半径方向内方円形凹所つまり切欠き２２を備えることも好ましい。外側スリーブ１０の中心通路開口１９は、凹所２２よりも直径が小さい。従って凹所２２は、軸方向当接面２４によって第二端部分１４の方向へ制限されている。反対方向、つまり第二端部分１４とは軸方向反対方向には、凹所２０は半径方向内方突出張出し部２３によってテーパーとなっている。この張出し部２３は、凹所２２の周方向に閉じて若しくは穿孔して形成することができ、非回転対称支持スリーブ３０の好ましい締結フランジ３２（以下参照）のための、好ましくは可撓性の、軸方向逃げ溝を形成する。
【００４０】
外側スリーブ１０の半径方向外側壁２６には、好ましくは半径方向カラー２０の下方で周方向に分布配置された半径方向突出部２８が設けられる。この突出部２８は、窪み又はロック又は外れ止め突出部２９によって軸方向に制限されている。外れ止め突出部２９は、第一部品Ａを半径方向カラー２０の下方に且つ好ましくはこれに当接して保持することを支援する。
【００４１】
外側スリーブ１０の開口１９は、締結具１の長手軸Ｌと同軸的に延在し、半径方向内側壁１７によって制限される。好ましくは、内側壁１７の輪郭は、締結具１の横断面（図１０参照）からわかるように、周囲輪郭１８と類似して形成されている。
【００４２】
第二端部分１４には、好ましいネジスリーブ５０が配置される。ネジスリーブ５０は、射出成形によって単一部品として、若しくは支持スリーブ３０と組み合わせて二成分射出成形によって製造される。ネジスリーブ５０を積層造形法の助けを借りてプラスチックから製造することも好ましい。ネジスリーブ５０は、好ましくは外側スリーブ１０の第二軸方向端部分１４内に所定のクリアランスをもって、接着、圧入、溶着、射出、若しくはスナップ嵌合させる。
【００４３】
このネジスリーブ５０は、長手軸Ｌと同軸的に延在するネジ通路５２として締結区域を提供し、このネジ通路内に締結ネジ８０がねじ込まれ、第一部品Ａと第二部品Ｂとの締結具１による接続を行う。好ましくは、本願発明によれば、ネジ通路５２は締結ネジ８０のねじ込み方向Ｒに、円筒状若しくは円錐状にテーパーして延在する。締結ネジ８０には、好ましくは自己切削及び／又はセルフタッピングネジ８２が設けられているので、自己切削又はセルフタッピングネジ８２がネジ通路５２の内側壁に切り込む。このようなネジ切りはDE 10 2004 021 484 A1及びDE 10 2016 101 910に記載されており、これらの文献は参照によりネジ幾何学の定義に関して本明細書に組み込まれる。またネジ通路５２に、締結ネジ８０と噛み合う雌ネジを設けることもできる。
【００４４】
ネジスリーブ５０は、本発明の上述の実施態様（上記参照）に従って射出成形によって製造される。２Ｋ射出成形（２成分射出成形）では、外側スリーブ１０を一つの射出成形型のみで第一のプラスチックショットにより射出成形する（工程Ｉ）。次いで、外側スリーブ１０の第二端部分１４内に堅固に配置されるように、ネジスリーブ５０を同じ射出成形型で第二のプラスチックショットにより成形する（工程II）。これらの製造工程の順序を変更することも好ましい。別の好ましい実施態様によれば、ネジスリーブ５０は、外側スリーブ１０の第二端部分１４内に成形、圧縮、若しくは接着される、予備製造されたインサートである（工程III）。外側スリーブ１０とネジスリーブ５０とを別々に射出成形し（I、II）、その後互いに締結することも好ましい。
【００４５】
締結のために、ネジスリーブ５０は、好ましくは半径方向外側締結壁５５を有する締結部５４を有する。締結壁５５は、好ましくはねじ込み方向Ｒに円錐状に延在する及び／又は上述の締結方法のうちの一つに適合させる。
【００４６】
締結部５４は、好ましくは軸方向当接面５６を形成する。この軸方向当接面５６は、接続完成状態において支持スリーブ３０と当接しこれを支承する役割を果たす（下記及び図３参照）。
【００４７】
好ましくは、本発明によれば、内部でネジ通路５２の一部を形成する入れ子部５８が、当接面５６に隣接する。入れ子部５８の半径方向外側面は、外側スリーブ１０の内側壁１７から離隔しており、好ましい受入間隙５９を形成している。二つの部品Ａ、Ｂを接続する際、締結具１を安定化させるために、受入間隙５９は支持スリーブ３０の少なくとも一部を受け入れる。
【００４８】
好ましくは、入れ子部５８の長さは、当接面５６から上方に端面つまり前面５７まで、支持スリーブ３０の長さに合わせてある。ここで、支持スリーブ３０の長さは、締結フランジ３２を除くスリーブ部分のみで測定する。入れ子部５８の長さは、好ましくは支持スリーブ３０の長さと等しく、接続完了状態において、支持スリーブ３０が当接面５６上に支承され、入れ子部５８の端面５７が締結フランジ３２に支承される。ネジスリーブ５０と支持スリーブ３０との好ましい回転防止接続が確実である限りは、支持スリーブ３０及び入れ子部５８を他の長さとすることも好ましい。
【００４９】
接続体において締結具１の十分な安定性を担保するために、支持スリーブ３０及び入れ子部５８の断面形状は、図１０に示すように外側スリーブ１０の周囲輪郭１８に類似させて形成する。入れ子部５８と支持スリーブ３０並びに支持スリーブ３０と外側スリーブ１０の隣接する輪郭を、周囲輪郭１８とは異なるデザインとすることも好ましい。ここで、角柱形状、非円形形状、及び他の非回転対称デザインが可能である。所望の機能を実現できる限りは、このような回転防止連結デザインを各部品の軸方向部分に限定することも好ましい。
【００５０】
本発明の好ましい実施態様により、これも射出成形によって製造される支持スリーブ３０（工程IV）を、図７及び図８により詳細に示す。締結フランジ３２は、半径方向カラー２０の張出し部２３の裏により良く保持されるように、半径方向突出部３８を有する。さらに締結フランジ３２には締結ネジ８０用の開口４０が設けられ、この開口は長手軸Ｌと同軸的に配置される。好ましくは、締結フランジ３２を半径方向カラー２０の凹所２２内にスナップ嵌合して、締結具１を予備組立する。半径方向カラー２０内に締結フランジ３２を好ましく回転防止配置できるように、締結フランジ３２も非回転対称形状である。さらに、締結ネジ８０をネジ通路５２内に好ましくは軽くねじ込むと、締結具１を安全に輸送できる予備組立ユニットとして提供することができる。
【００５１】
好ましくは、支持スリーブ３０は繊維強化プラスチック製である。別の実施態様では、支持スリーブ３０は、破損応力が少なくとも１００ＭＰａ、弾性率が少なくとも６０００ＭＰａである材料からなる。好ましくは、特にPA66-GF（ガラス繊維強化ポリアミド６６）を使用する。
【００５２】
ネジスリーブ５０のプラスチック材料の好ましい弾性率は１０００〜２０００ＭＰａである。適した材料としては、例えばポリプロピレン（ＰＰ）が挙げられる。外側スリーブ１０は好ましくは、好ましい硬さ７０〜８０ショアＡの熱可塑性ポリオレフィン加硫物（ＴＰＶ）からなる。ＴＰＶはポリオレフィン系プラスチック（好ましくはＰＰ）とＥＰＤＭ等のエラストマーとの混合物である。ＴＰＯとは異なり、エラストマーはＴＰＶに架橋若しくは加硫している。エラストマーをＴＰＶに加硫することにより、ＴＰＶの機械的特性は慣用のゴムに非常に近いものとなる。これは特に非常に良好な圧縮特性として現れる。ＴＰＶは温度耐性があり、よって固定シール及び（半）固定シールに適している。
【００５３】
部品Ｂを部品Ａに締結するには、ネジスリーブ５０及び予備組立した支持スリーブ３０を備える締結具１をまず開口ＡＯ内に挿入し、好ましくは積極的ロック状態で回転に対抗して保持する（ＳＩ）。これに関して、支持スリーブ３０とネジスリーブ５０とを、射出成形法後、摩擦係合又は接続ウェブを介して互いに接続することも好ましい。部品Ｂを半径方向カラー２０上に配置したら（Ｓ２）、締結ネジ８０を開口４０からネジ通路５２内へとねじ込む（Ｓ３）。締結ネジ８０は、ネジ通路５２内へとねじ込んでいくと部品Ｂに当接し、次いでネジスリーブ５０を支持スリーブ３０の方へ引っ張る。上記接続ウェブを破壊、或いは支持スリーブ３０とネジスリーブ５０との摩擦係合を乗り越えた後若しくはその間、支持スリーブ３０と入れ子部５８とが互いに入れ子状にスライドつまり移動する。締結具１の製造と共に完成する支持スリーブ３０とネジスリーブ５０の入れ子部５８との間の回転防止連結は、外側スリーブ１０が長手軸を中心として完全に若しくは少なくとも回転角度範囲＜１８０°、さらに好ましくは＜９０°にわたって回転しないように保護することを既に確実にしている。締結ネジ８０のねじ締めトルクに耐え得るように、締結具１は、部品Ａの開口ＡＯによって積極的ロック状態で及び／又は締結フランジ３２を半径方向カラー２０内に配置し、部品Ａで支承することによって、摩擦係合及び積極的ロック状態で支承される。支持スリーブ３０が当接面５６上に支承され、入れ子部５８が締結フランジ３２上に支承されることがさらに好ましい。この入れ子式動作の間、外側スリーブ１０の外側に折畳み部１６が形成される。完成した接続体において、部品Ａは折畳み部１６と半径方向カラー２０との間に締付固定され、部品Ｂはネジ頭と半径方向カラー２０との間に締付固定される。
【符号の説明】
【００５４】
Ａ    第一部品
Ｂ    第二部品
Ｒ    ねじ込み方向
ＡＯ、ＢＯ  部品開口
Ｌ    長手軸
１    締結具
１０  外側スリーブ
１２  第一端部分
１４  第二単部分
１６  折畳み部
１７  内側壁
１８  周囲輪郭
１９  通路開口
２０  半径方向カラー
２２  凹所
２３  張出し部
２４  当接面
２６  外側壁
２８  突出部
３０  支持スリーブ
３２  締結フランジ
３４  半径方向内側壁
３６  半径方向外側壁
３８  突出部
４０  開口
５０  ネジスリーブ
５２  ネジ通路
５４  締結部
５５  締結壁
５６  当接面
５８  入れ子部
５９  受入間隙
８０  締結ネジ
８２  ネジ（ネジ山）
【図１】
2019526752.tif 000003
【図２】
2019526752.tif 000004
【図３】
2019526752.tif 000005
【図４】
2019526752.tif 000006
【図５】
2019526752.tif 000007
【図６】
2019526752.tif 000008
【図７】
2019526752.tif 000009
【図８】
2019526752.tif 000010
【図９】
2019526752.tif 000011
【図１０】
2019526752.tif 000012
【図１１】
2019526752.tif 000013
【図１２】
2019526752.tif 000014
【手続補正書】
【提出日】平成31年2月28日(2019.2.28)
【手続補正１】
【補正対象書類名】明細書
【補正対象項目名】０００８
【補正方法】変更
【補正の内容】
【０００８】
少なくとも第一部品と第二部品とをネジ接続を介して接続可能な、制振機能を有する本願発明の締結具は、第一軸方向端部分にねじ込み開口を有し、ネジのためのねじ込み区域を第二軸方向端部分に有する弾性変形可能な外側スリーブを備え、該外側スリーブは、外側スリーブの周囲輪郭に適合した部品開口内で回転に対して積極的にロックすることができる非回転対称周囲輪郭を、少なくとも前記第一軸方向端部分に有し、前記締結具はさらに、非回転対称支持スリーブを備え、弾性変形可能な外側スリーブの周囲輪郭が、第一軸方向端部分の少なくとも所定領域において、形状維持する態様で支承されるように、前記支持スリーブは、外側スリーブ内の第一軸方向端部分において、外側スリーブに対する回転に対して積極的にロックする状態で配置され、前記支持スリーブは、外側スリーブの第一軸方向端部分と第二軸方向端部分との相対的回転に対して、第二軸方向端部分に堅固に配置された締結区域に積極的にロックする状態で接続されることを特徴とする。
【手続補正２】
【補正対象書類名】特許請求の範囲
【補正対象項目名】請求項１９
【補正方法】変更
【補正の内容】
【請求項１９】
締結具（１）、特に請求項１〜１１のいずれか１項に記載の締結具（１）の製造方法であって、
ｉ．射出成形法若しくは積層造形法によって、弾性変形可能な材料から、非回転対称周囲輪郭（１８）を有する外側スリーブ（１０）を製造する工程（Ｉ）と、
ii．射出成形若しくは積層造形法によってネジスリーブ（５０）を製造する工程（II）と、該ネジスリーブ（５０）を外側スリーブ（１０）に締結する工程（III）と、
iii．射出成形法若しくは積層造形法によって、外側スリーブ（１０）よりも変形能が低い材料からなり、外側スリーブ（１０）に形状を適合させた非回転対称支持スリーブ（３０）を製造する工程（VI）と、
iv．外側スリーブ（１０）内に支持スリーブ（３０）を配置する工程（Ｖ）とを含む、製造方法。
【国際調査報告】
2019526752.tif 000015
2019526752.tif 000016
2019526752.tif 000017
2019526752.tif 000018
2019526752.tif 000019
2019526752.tif 000020